(57)【特許請求の範囲】
【請求項１】
電源供給により発光する発光部を備えた発光ダイオードと、該発光ダイオードから引出される端子および一対の接続用リード線の端部がそれぞれ接続された基板ユニットとを備え、前記接続用リード線により発光ダイオード付きの基板ユニットを一連状に接続して構成される発光ダイオードアッシーを筒状をしたゴム質弾性を有する筒状のホルダに組込み、該発光ダイオードアッシーが組込まれたホルダを基材に形成の貫通孔に組込んで発光ダイオード表示器を構成するにあたり、前記発光ダイオードアッシーは、前記ホルダの筒孔に発光ダイオードの発光部の下半部が弾圧状に内嵌され、かつ基板ユニットが被覆され、前記ホルダの外周面には、上面が小径になるよう傾斜状に形成された第一、第二フランジ部が上下二段に亘って一体形成され、さらに第一、第二フランジ部の各下面側の外径は、前記基材に形成される大小孔径の貫通孔に対応して、上側の第一フランジ部の方が第二フランジ部よりも小径になるようにして形成されていることを特徴とする発光ダイオード表示器。
【発明の詳細な説明】
【０００１】
【発明の属する技術分野】
本発明は、広告や装飾、あるいは表示のために用いられる発光ダイオード表示器技術分野に属するものである。
【０００２】
【従来技術】
従来、広告や装飾等を目的として表示をするものとして、ネオンサイン（ネオン管）や電球に換えて発光素子（発光ダイオード、ＬＥＤ）を採用することが試みられている。このようなものでは、例えば実開昭６１−１１２３９２号公報、実開平２−７８９８３号公報、実開平２−８１５８０号公報に示すごとく、複数の発光ダイオードを、予め必要な配線が施されたプリント基板に取付け、このプリント基板を円筒体に嵌入取付けする等して目的とする表示を行うようにしたものが知られている。
【０００３】
【発明が解決しようとする課題】
しかるにこれらのものでは、発光ダイオードをプリント基板に植設する場合に、発光ダイオードは一つづつ半田付け等の手段により植設する一方で、各発光ダイオードの端子に、これらの発光状態（表示状態）を考慮しつつ接続する配線作業が必要となり、この配線作業が面倒かつ煩雑な作業であり、しかもこのような作業は取付け現場で行われることになるため、現場作業の負担が多くなるという問題があり、ここに本発明の解決すべき課題がある。
【０００４】
【課題を解決するための手段】
本発明は、上記の如き実情に鑑みこれらの課題を解決することを目的として創作されたものであって、請求項１の発明は、電源供給により発光する発光部を備えた発光ダイオードと、該発光ダイオードから引出される端子および一対の接続用リード線の端部がそれぞれ接続された基板ユニットとを備え、前記接続用リード線により発光ダイオード付きの基板ユニットを一連状に接続して構成される発光ダイオードアッシーを筒状をしたゴム質弾性を有する筒状のホルダに組込み、該発光ダイオードアッシーが組込まれたホルダを基材に形成の貫通孔に組込んで発光ダイオード表示器を構成するにあたり、前記発光ダイオードアッシーは、前記ホルダの筒孔に発光ダイオードの発光部の下半部が弾圧状に内嵌され、かつ基板ユニットが被覆され、前記ホルダの外周面には、上面が小径になるよう傾斜状に形成された第一、第二フランジ部が上下二段に亘って一体形成され、さらに第一、第二フランジ部の各下面側の外径は、前記基材に形成される大小孔径の貫通孔に対応して、上側の第一フランジ部の方が第二フランジ部よりも小径になるようにして形成されていることを特徴とする発光ダイオード表示器である。
これによって、発光ダイオードを基材に取付けるにあたり、予め電気的接続がなされたものにすることができ、多様な意匠の表示を現場で容易に施工することができる。
【０００５】
【発明の実施の形態】
次に、本発明の第一の実施の形態について図１〜図４を用いて説明する。
図において、１は本発明が実施された発光ダイオード群であって、該発光ダイオード群１は、長尺状の板面の長手方向複数箇所に両面側から切欠き溝２ａが凹設されたプリント基板２と、各切欠き溝２ａにより分割されることで構成される複数の基板ユニット２ｂ毎に植設された発光ダイオード（発光素子、ＬＥＤ）３とで構成されている。ここでプリント基板２は各基板ユニット２ｂ毎に必要な配線が施されている（必要において抵抗がさらに接続されている）ことは言うまでもなく、各基板ユニット２ｂに植設される発光ダイオード３は、基板ユニット２ｂの一端縁（プリント基板２の上側板厚面）に直立状に配されている。そして、各発光ダイオード３同志は、隣接する基板ユニット２ｂ同志の他端縁（下側板厚面）にループ状に配線されるリード線４により互いに接続される設定となっている。このようにして構成された発光ダイオード群１は、切欠き溝２ａを介して一つの発光ダイオード３が組込まれた発光ダイオードアッシー５について一つづつ折り曲げることで切り離すことができるようになっており、この切り離し状態では各発光ダイオードアッシー５がリード線４によって接続された状態になるように設定されている。
【０００６】
そして、前記発光ダイオードアッシー５を適宜基材に取付けることで発光ダイオード表示器６が構成されるが、本第一の実施の形態における基材７はゴム質弾性材のようには弾性変形をしない金属製の平板材で形成されている。ここで本実施の形態においては、大径の貫通孔７ａが穿設されたものと、小径の貫通孔７ｂが穿設されたもの（図１において仮想線で示される基材）の二種類の基材（所謂パンチングボード）７に対応できる構成になっており、基材７にはこれら貫通孔７ａ、７ｂが縦横に複数列状に形成され、これら貫通孔７ａに発光ダイオードアッシー５が取付けられる設定となっている。ここで、前記各貫通孔７ａ、７ｂの孔径は何れのものも前記発光ダイオードアッシー５外径よりも大径に形成されていて、後述するように発光ダイオードアッシー５に被覆されるホルダ８の外径に対応して形成されている。
【０００７】
さて、前記ホルダ８はゴム質弾性材で筒状に形成されており、該筒孔８ａに、発光ダイオード３の発光部３ａの下半部が弾圧状に内嵌される共に、基板ユニット２ｂが被覆されるようになっており、この状態の発光ダイオードアッシー５が前記基材７に取付けられるように設定されている。
そして前記ホルダ８の外周面には、上面が傾斜状に形成された第一、第二フランジ部８ｂ、８ｃが上下二段に亘って一体形成されており、発光ダイオードアッシー５を基材７の裏面（下面）側から無理嵌め状に押し込んだとき、前記貫通孔７ａまたは７ｂの孔径に合わせて第二フランジ部（係止部）８ｃまたは第一フランジ部（係止部）８ｂの何れかが弾性変形しながら基材７の表面（上面）側に達するように設定されており、これによって、ホルダ８付きの発光ダイオードアッシー５が基材７の孔径に対応して抜け止め状に取付けられるように設定されている。
つまり、ホルダ８の第一、第二フランジ部８ｂ、８ｃの各下面側の外径は前記貫通孔７ｂ、７ａの孔径に対応して形成されており、基材７に大径の貫通孔７ａが形成されている場合では、発光ダイオード３は第二フランジ部８ｃまでが基材７表面側に露出する状態で取付けられ、小径の貫通孔７ｂが形成されている場合では、第一フランジ部８ｂまでが露出する状態で取付けられるように設定されており、基材７に大小の孔径の貫通孔７ａ、７ｂが適宜形成されたものになっている場合では、発光ダイオード３の突出量が異なり立体的な意匠となった状態の表示を行うことができる。尤も、このような突出量の調整は、孔径を変更した設定にする必要は必ずしもなく、同じ外径のフランジ部を複数設けておき、そして所望のフランジ部を貫通孔に係止させることでも実施することができる。
さらに、ホルダ８のフランジ部としては、図５に示す第一の参考例のように基材７の貫通孔７ａの孔径に合わせたフランジ部８ｃが一つだけ（一段状に）形成されたものにもできる。
【０００８】
このようにして、ホルダ８付きの発光ダイオードアッシー５を基材７に嵌め込むことで、発光ダイオード３は基材７に対して抜け止め状に取付けられ発光ダイオード表示器６を形成することになるが、このとき、一つの発光ダイオード群１から分割された発光ダイオードアッシー５は電気的接続が既になされており、複数の発光ダイオード群１から分割されたホルダ８付きの発光ダイオードアッシー５を、基材７に対してそれぞれ適宜レイアウトしながら取付けることで、施工現場において好みの装飾模様、文字、ロゴマーク等の電気的接続が既になされたものとして構成できるように設定されている。
そしてこの場合に、基材７の表裏面の少なくとも一面に、図９に示すように、ロゴマークや装飾模様等の線図１０を予め描いておき、この線図１０にて描かれた部位の貫通孔７ａを選択して前記ホルダ８付きの発光ダイオードアッシー５を嵌め込んでいくことで、発光ダイオード３にて装飾する線図を迅速かつ的確に描くことができる。そして前記描かれる線図としては、発光ダイオードの発光色の相違や、発光群の相違（例えば同じ発光色のものでも異なる制御で発光させることがあるもの）に対応して異なる様式の線図にしておく（例えば色を変えたり、線の太さを変えたり、点線や波線のように変えたりする）ことで、複数群の発光ダイオードアッシー５を取付ける場合に、取付けミスを少なくすることができる利点がある。このものにおいて、表面に線図１０を描いておけば、発光停止をしたときに、前記描かれた線図１０が昼間等においてそのまま目視されることになるという利点がある。また裏面に描いた場合には、ダイオードの貫通孔へのはめ込みが裏面からそのままできて容易になるという利点がある。
尤も、パンチングボードとしては、一面に貫通孔が穿設されたものに限定されず、電飾として必要な箇所に貫通孔を穿設したものについても同様にして用いることができる。
また、ホルダの外周形状としては、平面視において円形であることに限定されず、四角、六角等、多角形状にしたり、楕円等の非円形状にするものでも実施できる。この場合、基材に穿設される貫通孔も対応する形状であることが好ましいが、無理嵌め状に貫通して抜け止めがなされるもので有れば必ずしも限定されるものではない。そして抜け止め力としては、通常の使用状態で抜け止めがなされればよく、従って、発光色を変えたいような場合に、無理抜きすることで抜ける程度にしておけば、模様替えも簡単にできるという利点がある。
【０００９】
叙述の如く構成された本発明の実施の形態において、発光ダイオード表示器６は、ベースとなる基材７に複数の貫通孔７ａまたは７ｂを穿設し、これら貫通孔７ａまたは７ｂに、リード線４による接続配線が既になされているホルダ８付きの発光ダイオードアッシー５を取り付ければよく、従って、複数の発光ダイオード群１の発光ダイオードアッシー５を適宜取付けることで、種々の意匠を持たせた発光ダイオード表示器６を、施工現場において容易に組み立てることができ、従来のもののように、複数のプリント基板に予め植設した発光ダイオードを、植設後に配線するもののように、面倒かつ煩雑な作業を現場で行うような不具合がなくなって、現場での施工作業を簡略化することができる。
【００１０】
しかもこのものでは、貫通孔の孔径が大小異なった二種類の基材７に対応できるため、例えば市販品のパンチングボードを購入したときの対応が容易になる。
【００１１】
図６〜図８に示す第二の参考例のように可撓性のある基材９を用いることもできる。この場合では、基材９の可撓性を利用して発光ダイオードアッシー５にホルダを被覆させることなく、そのまま直接基材９に嵌め込まれるようになっている。
つまり、第二の参考例の基材９は、ゴム質弾性材を型成形することによって略角筒状に構成され、長手方向に長い矩形の空隙部９ａが形成されている。そして、基材９の表面（上面）には前述したようにして形成された発光ダイオードアッシー５の発光部３ａが挿通するための貫通孔９ｂが所定の間隙を存する状態で穿設される一方、裏面（下面）には長手方向に長い挿入口９ｃが形成されている。
発光ダイオードアッシー５の基材９への取付けは、発光ダイオードアッシー５の基板ユニット２を、その板面が基材９の長手方向に対して平行する向きにして発光部３ａを基材挿入口９ｃにあてがい、そのまま空隙部９ａ内に押し込むことで取付けられる。この取付け状態では、基材９上面から発光ダイオード発光部３ａが突出し、その下部が空隙部９ａに内嵌される状態となっているが、貫通孔９ｂの孔径は発光部３ａの外径より小径に寸法設定されていて、発光ダイオードアッシー５が基材９に抜け止め状に支持されるように設定されている。
そしてこの場合でも、複数の発光ダイオード群１の発光ダイオードアッシー５を、所望の配設状態で取付けることによって予め配線がなされた発光ダイオード表示器６とすることができ、しかも直線だけでなく曲線状態を含めて自由な表示を現場で容易に実現できるものである。
【図面の簡単な説明】
【図１】  発光ダイオード表示器の一部拡大正面断面図である。
【図２】  発光ダイオード群の正面図である。
【図３】  図３（Ａ）、（Ｂ）、（Ｃ）はそれぞれ図２における左側面図、右側面図、Ａ−Ａ断面図である。
【図４】  図４（Ａ）、（Ｂ）、（Ｃ）、（Ｄ）はそれぞれホルダの正面図、平面図、図４（Ａ）におけるＡ−Ａ断面図、底面図である。
【図５】  第一の参考例における発光ダイオード表示器の一部拡大正面断面図である。
【図６】  図６（Ａ）、（Ｂ）はそれぞれ第二の参考例の発光ダイオード表示器の正面図、背面図である。
【図７】  図７（Ａ）、（Ｂ）はそれぞれ第二の参考例の発光ダイオード表示器の内覧図、図６（Ａ）におけるＡ−Ａ断面図である。
【図８】  図８（Ａ）、（Ｂ）はそれぞれ第二の参考例の基材の平面図、底面図、図８（Ａ）におけるＡ−Ａ断面図である。
【図９】  線図を描いた基材の正面図である。
【符号の説明】
１    発光ダイオード群
２    プリント基板
２ａ    切欠き溝
２ｂ    基板ユニット
３    発光ダイオード
３ａ    発光部
４    リード線
５    発光ダイオードアッシー
６    発光ダイオード表示器
７    基材
７ａ    貫通孔
８    ホルダ
８ａ    筒孔
８ｂ    第一フランジ部
１０    線図
【図１】
0004043090.tif 000002
【図２】
0004043090.tif 000003
【図３】
0004043090.tif 000004
【図４】
0004043090.tif 000005
【図５】
0004043090.tif 000006
【図６】
0004043090.tif 000007
【図７】
0004043090.tif 000008
【図８】
0004043090.tif 000009
【図９】
0004043090.tif 000010